(57)【特許請求の範囲】
【請求項１】
土地測量用コンクリ−ト製境界杭上端に面取のある杭の面取の下方の角と、面取の下方の一辺中央部に境界点のある、それぞれ個別の杭において、この面取部の外側下部に補助具を当ててＶの谷間を形成し、この谷間に断面Ｖ形の別の補助具を載せて、光波測距儀のプリズムのポウルを設置し易くするもので、是ら二つの補助具は、各々、境界杭上端でＬ字状に接触するようにしてあり、杭に紐で巻き付けて谷間を形成する方の補助具甲と、この谷間に載せる方の補助具乙には、境界点の位置に対応した箇所にポウルの先端を置く孔を設けておいたのを併せて２種類を対にし、精度良い測量と、作業性を良くする為に発明した補助具甲と乙。
【請求項２】
杭上端の面取の有無に拘らず、杭の上面の平らな部分に、当該透明のプレイトを当て、このプレイト越しに境界点を視認して、プレイトの上から境界点にプリズムを設置したり、プリズムが工作物にぶつかって境界点に直接プリズムを設置できない場合は、適切な箇所にオフセット点を設定するので、このプレイトには、工作物に対する境界点の設置状況に応じて、３種の対応で使い分ける配慮がしてあり、その内の１種目は、直線状の工作物に突き当て、又は、ほぼ突き当ての位置に境界点が在る場合用で、プレイト直線部の中程にある半円状切り欠きの中心を境界点に合わせられるように設けてあり、２種目は、ほぼ直角状に施工している工作物の隅や、その隅の近傍に境界点が在る場合用で、円弧の一部を切り欠いた弦を一辺とする直角部突起先端を境界点に当てられるようにしてあり、３種目は、曲線状の縁に、半円状切り欠きを数箇所設けて、その内の任意の切り欠き一個を測点に合わせてプリズムをオフセットできるようにした丙の補助具において、上記１種目と、上記２種目の各々の境界点に当てる点を中心にして、一センチ間隔の波状の同心円の溝を彫ってあり、この溝に沿ってプリズムを移動させて、適切な視準線上にプリズムを置き易いようにし、精度良い測量をし易くする為に発明した補助具丙。
【請求項３】
請求項１で言う、甲の両端に紐を付けて、杭の上端面取部下部外側に鉢巻状に巻付けてできる谷間に乙を載せて、甲乙対にして測量する方法。
【発明の詳細な説明】
【技術分野】
【０００１】  この発明は、面取りあるコンクリ−ト製境界杭の角や、縁の境界点に、プリズムを設置し易くする事や、塀の隅の境界点と、オフセット点間距離の物差しの目盛りが、読取り不可能だったのを可能にする為に、目盛りに代わる１センチ間隔の波状溝を、当該発明品に表示させて、境界点測量作業を省力化すると共に、合理的に行なえるようにする補助具一式と、それらの使用法に関するものである。
【背景技術】
【０００２】  従来は、杭の境界点にポウルの先端を設置する際、角部に境界点がある場合は、指先を添えて設置するしか無く、しかも、この角部が欠落しているような場合は、近傍の点を測定して、パソコンで位置を計算して決めるしか方法が無かった。自治体が使用する杭は、境界点を示す矢印部分は平らで面取は無いが、矢印先端の境界点付近が丸まっている事が多くて、ポウルの先端を設置し難いので、矢張り指先を添える必要がある。その他、境界点が直角状の塀の隅を指している場合などは、境界点からポウル先端のオフセット点迄の距離を測定するのが困難で、誤差発生の要因となっていた。
【発明の開示】
【発明が解決しようとする課題】
【０００３】イ．光波測量のプリズムのポウルを設置し易いのは、十文字の境界点だけであり、杭上面の角や、縁中央部に境界点がある場合、ポウルの先端に指を添えねばならない。添え方が悪いと、位置がずれるのでずれ防止したり、手放しでポウルを設置する場合用に必要な道具を発明するのが本発明の狙いである。殊に、角部に境界点があって欠落している場合は、この補助具で位置を簡単に復元できるので、この復元した点にポウルを置けるようにしなければならない。塀の隅に境界点があるような場合は、その点を正確に捉え、尚且、ポウル先端のオフセット点迄の距離を、正確に表示できるようにしておく必要がある。
ロ．自治体の杭の上部は、鋳鉄製が多く、角部や、縁中央部に矢印を設けていて、しかも、この矢の先端が丸みを帯びているので、ポウルの先端を設置し難い場合が多い。と、言う事は、境界点を特定し難いと言う事になるので、上面に透明のプレイト状の補助具を当てがって、位置を特定しながら、埋設したり、設置済みの点の位置を特定し易くする補助具の発明が必要である。
【課題を解決する為の手段】
【０００４】本発明による３種類の補助具の呼称は、特許請求の範囲で説明した順に甲乙丙とする。甲と乙は、対にして使い、丙は、杭の上面に透明のプレイト状の補助具を載せ、位置を特定し易いようにしたものである。甲を、Ｖ形の溝を形成するものとすると、是は、透明の必要ないが、乙は、甲と、コンクリ−ト杭とで形成したＶ形の溝の上に載せ、乙を通して境界点を視認できるように透明にしておく必要がある。Ｖ形溝の折れ曲がり点に一つ目の孔、二つ目の孔は、４．５センチの杭の場合で、折れ曲がり点から２．２５センチの位置に、三つ目の孔は、９センチの杭の場合で、折れ曲がり点から４．５センチの位置に、四つ目の孔は、１０センチの杭の場合で、折れ曲がり点から５センチの位置に、五つ目の孔は、１２センチの杭の場合で、折れ曲がり点から６センチの位置に、プリズムのポウルの先端を置けるようにしてある。丙の透明の板には、境界点が塀に突き当ての状態に位置していても、当該ポウルの先端を１センチ間隔でオフセットできるように、波状に溝を彫って置く。杭の角部に境界点があり、この点の両側に塀が直角に折れ曲がっている場合でも、丙を当てがえるようにしておき、先程通り、波状の溝を彫ってポウルの先端を１センチ間隔でオフセットできるようにしておけば、難無く、正確に測定できる。更に、この角部の反対側にある曲線状の縁を当てがっても、オフセット測定できるようにするには、プレイト角部先端に突起を設け、是に赤線を施して、境界点とポウルの先端と赤線を一直線にして測定できるようにもしてある。
【発明の効果】
【０００５】  本発明により、殆どの境界点、又は、その近傍を測量し易くなり、しかも、一人でも測量できるようになったので、更なる測量作業の省力化と、測量精度の向上を実現し得た。
【発明を実施するための最良の形態】
【０００６】  以下、本発明の最良の実施形態を説明する。
イ．甲のＶ形の溝を形成する補助具は、鮮やかな目立つ色彩の樹脂製が最適で、Ｌ字状に杭に当てがうので、紐で杭に鉢巻状に縛りつけられるようにしておく必要がある。
ロ．Ｖ形の溝に載せる補助具乙は、透明の樹脂製で、Ｖ形の溝に接触できるようにし、是を通して各境界点を視認できるようにし、各境界点に対応した適切な位置に、プリズムのポウルを置けるように孔をあけておく。
ハ．プレイトの丙も透明の樹脂製で、甲乙を対にして使用できない杭の境界点を捉えられるようにしておく必要がある。具体的には、塀に突き当て式に境界点がある場合には、プレイトの縁や先端の塀に突き当てる部分に、境界点に合わせる点を設けておき、この点を中心にして、１センチ間隔の同心円の波状の溝を彫っておき、プリズムのポウルの先端をオフセットし易いようにしておく。
【産業上の利用可能性】
【０００７】  測量技術の面でも、コンピュ−タの普及と共に、省力化と、測量精度の向上をもたらした。殊に、巻尺しかなかった時代は、二人での作業が常識であったが、光波測距儀の普及で、一人ででも作業が可能になった。こうした時代にあっても、本件発明に因る、境界点測量補助具は、無ければ無いなりに、不便と思いつつ、今日に至ったのが、測量業界の趨勢であったと言える。この不便さと、多少の精度の劣るのを問題視せずに済ませてきたのが、本件発明で解消でき、精度の向上と、作業の軽減と、省力化に寄与する効果は絶大である。
【図面の簡単な説明】
【０００８】
【図１】  面取ある杭に、甲と乙の補助具を対にして装着した側面図。
【図２】  面取ある杭に、甲と乙の補助具を対にして装着した平面図。
【図３】  塀の隅にある境界点に、丙のプレイトを設置した平面図。
【符号の説明】
【０００９】（１）面取のあるコンクリ−ト杭。
（２）甲補助具。
（３）乙補助具。
（４）紐で甲補助具を縛り付ける。
（５）杭の大きさに合わせた各種境界点で、プリズムの先端を置く孔。
（６）丙補助具のプレイト。
（７）境界点を示す杭の矢印先端と、プレイト先端直角部突起に施した赤線。
（８）プレイトの直角部突起の反対側の曲線状の縁。
（９）オフセット用の１センチ間隔の溝。
（１０）塀。
（１１）塀が直角状に折れ曲がっている隅の境界点指示杭。
（１２）プリズムのポウルをオフセットする際に、境界点の位置を特定する切り欠き孔。
【図１】
0004293315.tif 000002
【図２】
0004293315.tif 000003
【図３】
0004293315.tif 000004